(57)【特許請求の範囲】
【請求項１】
右目用映像表示部と左目用映像表示部とが混在した３Ｄ映像を現出させる為の３Ｄ映像表示体の製造方法であって、透明な支持材上に接着剤を介して位相差フィルムを設け、続いて、該位相差フィルムの所定位置に透明にして除去不要なウレタン系のレジスト部材を設けた後、該レジスト部材が存在しない部分に水を浸透させることで、前記位相差フィルムにしてレジスト部材が存在しない部分の位相差機能を消失させ、乾燥後レジスト部材側に表示部材を重ね合わせ若しくは貼り合わせることを特徴とする３Ｄ映像表示体の製造方法。
【請求項２】
右目用映像表示部と左目用映像表示部とが混在した３Ｄ映像を現出させる為の３Ｄ映像表示体の製造方法であって、透明な支持材上に接着剤を介して複屈折性のないＴＡＣフィルムやＣＡＢフィルム等と位相差機能を有する延伸ＰＶＡフィルムとを積層した積層位相差フィルムをＴＡＣフィルム等が接着剤側となるように設け、続いて、延伸ＰＶＡフィルムの所定位置に透明にして除去不要なウレタン系のレジスト部材を設けた後、該レジスト部材が存在しない部分に水を浸透させることで、前記延伸ＰＶＡフィルム７にしてレジスト部材が存在しない部分の位相差機能を消失させ、乾燥後レジスト部材側に表示部材を重ね合わせ若しくは貼り合わせることを特徴とする３Ｄ映像表示体の製造方法。
【請求項３】
請求項２記載の３Ｄ映像表示体の製造方法において、レジスト部材は延伸ＰＶＡフィルムの一側から他側に向かう所定間隔をおいて設けられた線状体であることを特徴とする３Ｄ映像表示体の製造方法。
【請求項４】
請求項２，３いずれか１項に記載の３Ｄ映像表示体の製造方法において、レジスト部材は延伸ＰＶＡフィルム上にスクリーン印刷により設けられるレジストインクであることを特徴とする３Ｄ映像表示体の製造方法。
【請求項５】
請求項２〜４いずれか１項に記載の３Ｄ映像表示体の製造方法において、乾燥後レジスト部材側に複屈折性を有しない保護部材を設け、その後、該保護部材に表示部材を重ね合わせ若しくは貼り合わせることを特徴とする３Ｄ映像表示体の製造方法。
【発明の詳細な説明】
【０００１】
【発明の属する技術分野】
本発明は、３Ｄ映像を現出させる為の３Ｄ映像表示体の製造方法に関するものである。
【０００２】
【従来の技術及び発明が解決しようとする課題】
従来から、例えばＵＳＰ５,３２７,２８５号に示すような３Ｄ映像装置が提案されている。この３Ｄ映像装置は図１に図示したように液晶部材５１の表面に右目用映像表示部ａと左目用映像表示部ｂとが交互に並設されたフィルム５２を貼り合わせたもので、該液晶部材５１の発光をコントロールして所定の映像を現出させる際、右目用映像表示部ａからは右目用映像を、また、左目用映像表示部ｂからは左目用映像を現出させるものである。そして、右目用映像表示部ａからの右目用映像を構成する偏光の振動方向は左目用表示部ｂからの左目用映像を構成する偏光の振動方向に対し９０°の角度を有する偏光となるように構成されている為（二成分ｘ，ｙから成る右目用映像の例えばｘ成分は、同様に二成分ｘ，ｙから成る左目用映像のｘ成分に対して１８０°(π）の位相差を有するように構成されている為)、右目用映像のみを透過する偏光板付右目用レンズと左目用映像のみを透過する偏光板付左目用レンズとから成る偏光メガネで該映像を見ると、観察者は立体映像を観念し得ることになる。
【０００３】
ところで、前記右目用映像表示部ａ及び左目用映像表示部ｂが交互に並設されたフィルム５２はこれまで前記ＵＳＰ５,３２７,２８５号のFig２に開示されているように、ＴＡＣフィルム（トリアセチルセルロースフィルム）とヨウ素処理した延伸ＰＶＡフィルム（ポリビニルアルコールフィルム）とを積層した偏光フィルムにフォトレジストをコートし、所定部分を露光後、該部分を水酸化カリウム溶液で処理して延伸ＰＶＡフィルムが有する特定の波長域の光の振動方向を直線偏光状態のまま回転し得る性質（位相差機能）を消失させるという方法等で製造されている。しかし、この方法は水酸化カリウム溶液での処理後、フォトレジストをアルカリ処理により除去する方法である為、該アルカリ処理により延伸ＰＶＡフィルムが損傷し、右目用映像表示部ａ，左目用映像表示部ｂの機能が劣化してしまうという問題がある。
【０００４】
本発明は右目用映像表示部ａ及び左目用映像表示部ｂが混在し、機能が良好な３Ｄ映像表示体の製造方法を提供するものである。
【０００５】
【課題を解決するための手段】
添付図面を参照して本発明の要旨を説明する。
【０００６】
右目用映像表示部ａと左目用映像表示部ｂとが混在した３Ｄ映像を現出させる為の３Ｄ映像表示体の製造方法であって、透明な支持材１上に接着剤２を介して位相差フィルムを設け、続いて、該位相差フィルムの所定位置に透明にして除去不要なウレタン系のレジスト部材４を設けた後、該レジスト部材４が存在しない部分に水を浸透させることで、前記位相差フィルムにしてレジスト部材４が存在しない部分の位相差機能を消失させ、乾燥後レジスト部材４側に表示部材５を重ね合わせ若しくは貼り合わせることを特徴とする３Ｄ映像表示体の製造方法に係るものである。
【０００７】
また、右目用映像表示部ａと左目用映像表示部ｂとが混在した３Ｄ映像を現出させる為の３Ｄ映像表示体の製造方法であって、透明な支持材１上に接着剤２を介して複屈折性のないＴＡＣフィルム６やＣＡＢフィルム等と位相差機能を有する延伸ＰＶＡフィルム７とを積層した積層位相差フィルム３をＴＡＣフィルム６等が接着剤２側となるように設け、続いて、延伸ＰＶＡフィルム７の所定位置に透明にして除去不要なウレタン系のレジスト部材４を設けた後、該レジスト部材４が存在しない部分に水を浸透させることで、前記延伸ＰＶＡフィルム７にしてレジスト部材４が存在しない部分の位相差機能を消失させ、乾燥後レジスト部材４側に表示部材５を重ね合わせ若しくは貼り合わせることを特徴とする３Ｄ映像表示体の製造方法に係るものである。
【０００８】
また、請求項２記載の３Ｄ映像表示体の製造方法において、レジスト部材４は延伸ＰＶＡフィルム７の一側から他側に向かう所定間隔をおいて設けられた線状体であることを特徴とする３Ｄ映像表示体の製造方法に係るものである。
【０００９】
また、請求項２，３いずれか１項に記載の３Ｄ映像表示体の製造方法において、レジスト部材４は延伸ＰＶＡフィルム７上にスクリーン印刷により設けられるレジストインクであることを特徴とする３Ｄ映像表示体の製造方法に係るものである。
【００１０】
また、請求項２〜４いずれか１項に記載の３Ｄ映像表示体の製造方法において、乾燥後レジスト部材４側に複屈折性を有しない保護部材９を設け、その後、該保護部材９に表示部材５を重ね合わせ若しくは貼り合わせることを特徴とする３Ｄ映像表示体の製造方法に係るものである。
【００１１】
【発明の作用及び効果】
位相差フィルム上の所定位置に透明にして除去不要なウレタン系のレジスト部材４を設けた後、該レジスト部材４が存在しない位相差フィルムに水を浸透させ、該位相差フィルムが有する特定の波長域の光の振動方向を直線偏光状態のまま回転し得る性質（位相差機能）を消失させると、レジスト部材４が存在する部分とレジスト部分４が存在しない部分とで透過光の位相が１８０°ずれるフィルムが得られることになる。この際、レジスト部材４を薬剤等により除去しない為、位相差フィルムの損傷を可及的に抑制し得ることになる。
【００１２】
【発明の実施の形態】
図２は本発明の第一実施例を図示したもので、以下に詳述する。
【００１３】
透明な支持材１（例えば厚さ２ｍｍ程度のガラス板やセルロースアセテートブチレート（ＣＡＢ）板等）上に接着剤２（例えば紫外線硬化性樹脂）を介してＴＡＣフィルム６（厚さ１２６μｍ）と位相差機能を有する一軸延伸ＰＶＡフィルム７（厚さ３８μｍ）とを積層した積層位相差フィルム３（１/２波長板）を設け、紫外線により紫外線硬化性樹脂を硬化させる。尚、支持材１は複屈折性を有しないガラス板が最も望ましい。また、積層位相差フィルム３は延伸ＰＶＡフィルム７にＴＡＣフィルム６を積層したものの他、延伸ＰＶＡフィルム７にＣＡＢフィルムを積層したもの等でもよく、要は延伸ＰＶＡフィルム７に実質的に複屈折性を有しないフィルムを積層したものであれば積層位相差フィルム３として採用し得る。
【００１４】
続いて、この一軸延伸ＰＶＡフィルム７の所定位置にレジスト部材４としての耐水性の高い透明なウレタン系のレジストインク（十条ケミカル(株)製のＨＩＰＥＴ ９３００メジウム）を施す。この場合のレジストインクは、延伸ＰＶＡフィルム７の表面に一側から他側に向かって施される１６０μｍ幅の線状体であり、この線状体は１６０μｍのピッチをおいて並設されている。尚、レジストインクは上記のように等幅且つ等ピッチである必要はなく、また、線状体でなくても、例えば平面視正方形状体を千鳥状に配するようにしても良い。
【００１５】
ＵＳＰ５,３２７,２８５号における前記したフォトレジストは露光，水酸化カリウム溶液処理の間、耐え得るものであれば良く、そのまま残して長時間使用した場合の信頼性を考慮してはいない（例えば長時間使用により、色が付いたり、欠落したりする。)。更に、このフォトレジストは後にアルカリエッチング，水流処理で除去することになるが、このアルカリエッチングにより延伸ＰＶＡフィルム７はダメージを受け、レジストインクが存在していた部分及び後記熱水処理された部分の特性を変質させるおそれがある。
【００１６】
この点、本実施例はレジストインクとして透明なウレタン系のレジストインクを採用する為、耐久性に秀れ、よって、除去しなくても良く、上記問題は生じない。更に、上記延伸ＰＶＡフィルム７の変質という問題も解決でき、これにより画像の鮮明性も担保されることになる。
【００１７】
レジストインクを施した後、８０°Ｃの熱水に約３０秒程度浸漬し（勿論周面には適宜な防水処理を施す。)、レジストインクが存在しない部分に水を浸透させることで延伸ＰＶＡフィルム７の分子の方向性を破壊し、延伸前の状態、即ち、ＰＶＡフィルム７が元来有する前記位相差機能を消失させ、レジストインクが存在する部分を例えば右目用映像表示部ａとし、レジストインクが存在しない部分を左目用映像表示部ｂとする。尚、種々実験した結果、８０°Ｃ〜１００°Ｃの熱水に５秒〜１０分以内浸漬すれば同様に上記延伸ＰＶＡフィルム７の性質が消失することを確認している。
【００１８】
続いて、レジストインクを残したまま、内部に液晶が設けられた表示部材５とマグネット等で重ね合わせ若しくは適宜な接着剤により貼り合わせ、３Ｄ映像表示体とする。
【００１９】
レジストインクを施す位置、即ち、右目用映像表示部ａ及び左目用映像表示部ｂの位置は貼り合わせる表示部材５の液晶セルのピッチに合致するように設定する。
【００２０】
以上の製造方法により右目用映像表示部ａと左目用映像表示部ｂとが並設された光学特性に秀れるフィルムを簡易に得ることができ、よって、良好な機能を有する３Ｄ映像表示体も簡易に得ることが可能となる。
【００２１】
尚、上記製造においては各部材をロール状とすれば連続製造が可能となり、一層、３Ｄ映像表示体の量産性が向上することとなる。
【００２２】
このようにして製造した３Ｄ映像表示体からの映像を右目用映像表示部ａからの右目用映像のみを透過する偏光板付右目用レンズと左目用映像表示部ｂからの左目用映像（右目用映像を構成する光の振動方向に対し９０°直交する方向に振動する光により構成された映像）のみを透過する偏光板付左目用レンズとから成る偏光メガネで見ると、観察者は該映像を立体映像として観念し得ることになる。
【００２３】
図３は本発明の第二実施例であり、以下に説明する。
【００２４】
第二実施例はレジストインク間にして延伸ＰＶＡフィルム７上に適宜な部材８としてＵＶ樹脂，ＰＶＡ系接着剤若しくはアクリル系粘着材等を充填し、且つ保護部材９としてのＴＡＣシート，ガラス板若しくはＣＡＢ（セルロースアセテートブチレート）シートを積層し、この保護部材９上に表示部材５を積層したもので、その余は第一実施例と同様である。
【００２５】
尚、適宜な部材８及び保護部材９は位相の変化を生じさせないよう複屈折性を有しないものであれば適宜な樹脂をコートすることでも良い。
【図面の簡単な説明】
【図１】  従来からある３Ｄ映像装置の説明図である。
【図２】  第一実施例の構成説明図である。
【図３】  第二実施例の構成説明図である。
【符号の説明】
１  支持材
２  接着剤
３  積層位相差フィルム
４  レジスト部材
５  表示部材
６  ＴＡＣフィルム
７  ＰＶＡフィルム
９  保護部材
ａ  右目用映像表示部
ｂ  左目用映像表示部
【図１】
0003786824.tif 000002
【図２】
0003786824.tif 000003
【図３】
0003786824.tif 000004